(57)【要約】【課題】この発明は、コンピュータがプロジェクタから離れた場所に配置されている場合でも、プロジェクタの近くにいる操作者がコンピュータを操作できるようになるプロジェクタ・システムを提供することを目的とする。【解決手段】プロジェクタとコンピュータとがネットワークを介して接続され、ネットワークを介してコンピュータから画像がプロジェクタに伝送されるプロジェクタ・システムにおいて、プロジェクタは、プロジェクタ側の操作機器から発生した制御信号を、ネットワークを介してコンピュータに伝送させるための手段を備えている。ネットワークとしては、例えば、無線ＬＡＮが用いられる。【選択図】　図１
2004053760.tif 000002
【特許請求の範囲】
【請求項１】
プロジェクタとコンピュータとがネットワークを介して接続され、ネットワークを介してコンピュータから画像がプロジェクタに伝送されるプロジェクタ・システムにおいて、
プロジェクタは、プロジェクタ側の操作機器から発生した制御信号を、ネットワークを介してコンピュータに伝送させるための手段を備えていることを特徴とするプロジェクタ・システム。
【請求項２】
ネットワークが無線ＬＡＮであることを特徴とする請求項１に記載のプロジェクタ・システム。
【請求項３】
プロジェクタ側の操作機器が、プロジェクタを操作するためのリモートコントローラであることを特徴とする請求項１および２のいずれかに記載のプロジェクタ・システム。
【請求項４】
コンピュータに伝送させるためにプロジェクタ側の操作機器から発生する制御信号には、カーソル移動に対応する制御信号、クリック操作に対応する制御信号が含まれていることを特徴とする請求項１、２および３のいずれかに記載のプロジェクタ・システム。
【発明の詳細な説明】
【０００１】
【発明の属する技術分野】
この発明は、プロジェクタ・システムに関する。
【０００２】
【従来の技術】
コンピュータ画面を大きなスクリーンに投射するプロジェクタ、特に液晶プロジェクタは、教育用、プレゼンテーション用として急激に普及している。そのような状況下で、コンピュータとプロジェクタとを互いにネットワークに接続し、コンピュータの画像データをネットワーク経由でプロジェクタに伝送したり、画像以外の制御コマンドをコンピュータからネットワーク経由でプロジェクタに伝送したりするプレゼンテーションシステムが既に開発されている。
【０００３】
ところで、このようなプレゼンテーションシステムを利用して、会議室でプレゼンテータ（発表者）が聴衆に対してプレゼンテーションを行なう場合を想定する。プロジェクタは、会議室内に設置される。コンピュータもプロジェクタが設置されている会議室内に配置されている場合には、プレゼンテータはプロジェクタの投影画像を見ながらコンピュータを操作できるので、問題は生じない。
【０００４】
しかしながら、プロジェクタが設置されている会議室とは異なる部屋にコンピュータが配置されている場合のように、コンピュータがプロジェクタから離れた場所に配置されており、しかもプレゼンテータがプロジェクタの近くにいる必要がある場合には、不都合が生じる。なぜなら、プレゼンテータはコンピュータを自分で操作できないため、プレゼンテーションを自分で進行させることができなくなるからである。
【０００５】
【発明が解決しようとする課題】
この発明は、コンピュータがプロジェクタから離れた場所に配置されている場合でも、プロジェクタの近くにいる操作者がコンピュータを操作できるようになるプロジェクタ・システムを提供することを目的とする。
【０００６】
【課題を解決するための手段】
請求項１に記載の発明は、プロジェクタとコンピュータとがネットワークを介して接続され、ネットワークを介してコンピュータから画像がプロジェクタに伝送されるプロジェクタ・システムにおいて、プロジェクタは、プロジェクタ側の操作機器から発生した制御信号を、ネットワークを介してコンピュータに伝送させるための手段を備えていることを特徴とする。
【０００７】
請求項２に記載の発明は、請求項１に記載のプロジェクタ・システムにおいて、ネットワークが無線ＬＡＮであることを特徴とする。
【０００８】
請求項３に記載の発明は、請求項１乃至２に記載のプロジェクタ・システムにおいて、プロジェクタ側の操作機器が、プロジェクタを操作するためのリモートコントローラであることを特徴とする。
【０００９】
請求項４に記載の発明は、請求項１乃至３に記載のプロジェクタ・システムにおいて、コンピュータに伝送させるためにプロジェクタ側の操作機器から発生する制御信号には、カーソル移動に対応する制御信号、クリック操作に対応する制御信号が含まれていることを特徴とする。
【００１０】
【発明の実施の形態】
以下、この発明を液晶プロジェクタ・システムに適用した場合の実施の形態について説明する。
【００１１】
図１は、液晶プロジェクタ・システムの構成を示している。
【００１２】
液晶プロジェクタ・システムは、基本的には、液晶プロジェクタ１０と、液晶プロジェクタ１０に画像や制御コマンドを提供するためのパーソナルコンピュータ（以下、ＰＣという）２０とから構成されている。
【００１３】
液晶プロジェクタ１０の本体には、無線ＬＡＮ用のＬＡＮカードを内蔵したＬＡＮボックス１１が搭載されている。また、液晶プロジェクタ１０は、リモートコントーラ（以下、リモコンという）１２を備えている。ＰＣ２０には、無線ＬＡＮ用のＬＡＮカード２１が装着されている。
【００１４】
ＰＣ２０は、従来と同様に、無線ＬＡＮによって、液晶プロジェクタ１０に画像や制御コマンドを伝送する機能を備えている。
【００１５】
この実施の形態では、液晶プロジェクタ１０は、リモコン１２の操作情報を、無線ＬＡＮによって、液晶プロジェクタ１０からＰＣ２０に伝送する機能を備えている。液晶プロジェクタ１０からＰＣ２０に伝送されるリモコン１２の操作情報には、ポインティングデバイスが発生するような制御情報、つまり、カーソル移動に対応する制御情報、クリック操作に対応する制御情報等がある。
【００１６】
ＰＣ２０は、液晶プロジェクタ１０から送られてきたリモコン１２の操作情報を、ＰＣ２０に接続されたマウスからの入力情報のように取り扱うことにより、画面上のカーソルを移動させたり、クリック操作に対応した動作を行なう。
【００１７】
図２は、リモコン１２の操作情報（コントロール信号）に基づく、液晶プロジェクタ・システムの制御処理手順を示している。
【００１８】
ここでは、ＰＣ２０では、画面キャプチャ・プログラムが動作しており、無線ＬＡＮにより、プレゼンテーション画像が連続して液晶プロジェクタ１０に伝送しているものとする。そして、液晶プロジェクタ１０は、受信したプレゼンテーション画像を拡大して図示しないスクリーンに投影しているものとする。
【００１９】
プレゼンテータは、スクリーンに投影されているプレゼンテーションの画面を変更したり、画面上のカーソル（ポインタ）を操作する目的で、リモコン１２を操作すると、その操作に応じたコントロール信号がリモコン１２から発生する（ステップＳ１）。
【００２０】
液晶プロジェクタ（プロジェクタ本体部）１０は、リモコン１２から発生したコントロール信号を受信すると、ＤＶＩ　Ｉ／Ｆ　を経由して、コントロール信号をＬＡＮボックス１１に伝送する（ステップＳ２）。
【００２１】
ＬＡＮボックス１１は、ＤＶＩ　Ｉ／Ｆ　から送られてきたコントロール信号を内蔵ＬＡＮカードによって、ＩＥＥＥ８０２．１１ｂ　無線規格で送出する（ステップＳ３）。
【００２２】
ＰＣ２０に装着されたＬＡＮカード２１は、ＬＡＮボックス１１から送出されたコントロール信号を受信すると、ＰＣ２０に伝送する（ステップＳ４）。
【００２３】
ＰＣ（ＰＣ本体部）２０は、ＬＡＮカード２１から伝送されてきたコントロール信号を受信すると、受信したコントロール信号に応じて、例えば、カーソル移動等の動作を行なう（ステップＳ５）。そして、ＰＣ２０のモニタに表示されている画面をそのままキャプチャし、キャプチャした画面データを圧縮して、ＬＡＮカード２１に伝送する（ステップＳ６）。
【００２４】
ＬＡＮカード２１は、ＰＣ（ＰＣ本体部）２０から伝送されてきた圧縮画面データをＩＥＥＥ８０２．１１ｂ　無線規格で送信する（ステップＳ７）。
【００２５】
ＬＡＮボックス１１は、ＬＡＮカード２１から送信された圧縮画面データを受信すると、受信した圧縮画面データに対して展開処理を行なって、もとの画像信号を復元し、得られた画像信号をＤＶＩ　Ｉ／Ｆ　を経由して液晶プロジェクタ（プロジェクタ本体部）１０に伝送する（ステップＳ８）。
【００２６】
液晶プロジェクタ（プロジェクタ本体部）１０は、ＤＶＩ　Ｉ／Ｆ　から送られてきた画像信号を拡大して図示しないスクリーンに投影する（ステップＳ９）。
【００２７】
上記実施の形態では、液晶プロジェクタ１０側のリモコン１２を操作することによってＰＣ２０を制御することができるので、ＰＣ２０が液晶プロジェクタ１０から離れた場所に配置されている場合でも、液晶プロジェクタ１０の近くにいる操作者がＰＣ２０を操作できるようになる。
【００２８】
【発明の効果】
この発明によれば、コンピュータがプロジェクタから離れた場所に配置されている場合でも、プロジェクタの近くにいる操作者がコンピュータを操作できるようになる。
【図面の簡単な説明】
【図１】液晶プロジェクタ・システムの構成を示す外観図である。
【図２】リモコン１２の操作情報（コントロール信号）に基づく、液晶プロジェクタ・システムの制御処理手順を示すフローチャートである。
【符号の説明】
１０　液晶プロジェクタ
１１　ＬＡＮボックス
１２　リモコン
２０　ＰＣ
２１　ＬＡＮカード
【図１】
2004053760.tif 000003
【図２】
2004053760.tif 000004